(57)【要約】【課題】主として広告体の盗難を防止又は困難にするようにする。【解決手段】幌生地１の外側に所望の面積を有す透明合成樹脂製シート２を、その周縁を取り付けて袋状に配設し、前記幌生地の一部に、広告体３を前記袋部に出し入れするための出し入れ口４を設けた。【選択図】　　　　図１
2004098784.tif 000002
【特許請求の範囲】
【請求項１】
幌生地の外側に所望の面積を有す透明合成樹脂製シートを、その周縁を取り付けて袋状に配設し、前記幌生地の一部に、広告体を前記袋部に出し入れするための出し入れ口を設けたことを特徴とする幌付き自動車用広告表示装置。
【請求項２】
幌生地の一部に貫通孔を形成し、幌の内側に前記貫通孔を閉塞するように広告体を配設したことを特徴とする幌付き自動車用広告表示装置。
【発明の詳細な説明】
【０００１】
【産業上の利用分野】
この発明は、主として広告体の盗難を防止又は困難にするようにした幌付き自動車用広告表示装置に関するものである。
【０００２】
【従来の技術】
幌付き自動車とは、貨物自動車の荷台を幌生地で覆って使用する自動車であるが、この幌生地の外面に広告を表示する手段はすでに知られている。
【０００３】
この広告表示手段の最も旧いタイプは、前記幌生地に塗料で広告を直接表示するものであったが、これによると前記広告を変えることが決して容易ではなかったため、これを容易にするものとして、例えば実開平６−７５８８３号公報に示すものが提案されている。
【０００４】
すなわち、同公報に示されているものは、幌生地の外面に透明な合成樹脂製シートを袋状に取り付け、この袋部の一部に、別途用意した平板な広告体を出し入れするための出し入れ口を形成したものである。
【０００５】
すなわち、前記出し入れ口から前記袋部内に広告体を出し入れし、この広告体が前記合成樹脂製シートを介して外部から視認可能に形成したものである。
【０００６】
【発明が解決しようとする課題】
しかしながら前記従来例にあっては、広告体の出し入れが車両の外部に存在しており、広告体を車両の外部から出し入れ可能に形成されていたため、例えば駐車時に前記広告体が何者かによって抜き取られ、持ち去られるということがあり、特に人気を博している広告体にあっては、その傾向は一層高かったのである。
【０００７】
もっとも前記袋部に収納した広告体が不慮に外部に離脱することを防止するために、出し入れ口にはジッパー等が取り付けられていることもあったが、このジッパーはスライダーをスライドすることによって容易に開閉することが可能であったため、盗難を防止するための機能は、これを果たし得ないものとなっていたのである。
【０００８】
【課題を解決するための手段】
そこでこの発明に係る幌付き自動車用広告表示装置（請求項１）は前記の課題を解決するために、幌生地の外側に所望の面積を有す透明合成樹脂製シートを、その周縁を取り付けて袋状に配設し、前記幌生地の一部に、広告体を前記袋部に出し入れするための出し入れ口を設けたものである。
【０００９】
またこの発明に係る幌付き自動車用広告表示装置（請求項２）は前記の課題を解決するために、幌生地の一部に貫通孔を形成し、幌の内側に前記貫通孔を閉塞するように広告体を配設したものである。
【００１０】
【発明の実施の形態】
次にこの発明に係る幌付き自動車用広告表示装置の請求項１記載の実施の形態を図１〜３に基づいて述べると、１はテント地等で形成した幌生地であり、図示する本実施例にあっては、略Ｔ字状に形成してある。図１に示す２点鎖線で示すＷは自動車の荷台の左側を覆う部分、Ｘは荷台の天井を覆う部分、Ｙは荷台の右側を覆う部分、Ｚは荷台の後部を覆う部分である。また前記実施例においては、幌生地１を略Ｔ字状に一枚もので形成したものを示してあるが、前記区画Ｗ，Ｘ，Ｙ，Ｚをそれぞれ一枚ものに形成してもかまわない。
【００１１】
２は前記幌生地１の外側位置に取り付けた透明合成樹脂製シートであり、この透明合成樹脂製シート２はその周縁を幌生地１に取り付け、全体として出口のない袋状に取り付けてある。
【００１２】
３は前記透明合成樹脂製シート２によって形成された袋部に収納する広告体であり、４はこの広告体３を前記袋部に出し入れするための出し入れ口である。そしてこの出し入れ口４は幌生地１に形成してある。
【００１３】
しかして幌生地１を自動車の荷台に対し従来より知られている方法によって取り付けるのであるが、この場合、透明合成樹脂製シート２が外側に位置するように取り付けるものとする。そして出し入れ口４から広告体３を透明合成樹脂製シート２の袋部に挿入又は引く抜きすることができるのである。しかし前記出し入れ口４は、その使用時において内部に存在することになるので、外部に露見することがなく、外部から広告体３を出し入れることは不可能になるのである。
【００１４】
尚、前記広告体３は前記のようにスライドさせるがごとく方法で出し入れすることになるが、この出し入れを円滑に行うために、比較的硬質な素材によって形成することもある。また広告体３を硬質又は軟質な素材で形成したとしても、その出し入れの円滑化を図るために、前記透明合成樹脂製シート２によって形成された袋部位置に相当する幌生地１に、広告体３のスライド方向に長孔５又はスリットを形成することもあり、また前記スリットにスライドファスナーを取り付けることもある。
【００１５】
また広告体３を前記袋部に収納した後、自動車の振動によって広告体３が袋部内で移動又は位置ずれすることを防止するために、広告体３と幌生地１をベルクロファスナー、スナップ等で固定することもある。
【００１６】
さらに同一の面に対して複数種類の広告体３を例えば並列的に収納することも可能である。このように複数種類の広告体３を横方向に並列的に収納する場合には特に問題はないが、上下方向に並列的に収納する場合は、袋部に上下方向を画する仕切りを設ければよいのである。
【００１７】
次にこの発明に係る幌付き自動車用広告表示装置（請求項２）の請求項２記載の実施の形態を図４に基づいて述べると、６は前記幌生地１の一部に形成した貫通孔あり、広告体３を幌の内側から前記貫通孔６を閉塞するように配設してある。前記広告体３の幌生地への取り付けに際しては、例えば接着剤を用いることもできるが、これによると広告体３を変える際に広告体３の剥離が困難となる可能性が予見できるため、例えばベルクロファスナー等を用いることが好ましい。この実施例においても、貫通孔６を通して広告体３を外部に露見するのである。
【００１８】
【発明の効果】
前記のようにこの発明に係る幌付き自動車用広告表示装置（請求項１）は前記のように、幌生地の外側に所望の面積を有す透明合成樹脂製シートを、その周縁を取り付けて袋状に配設し、前記幌生地の一部に、広告体を前記袋部に出し入れするための出し入れ口を設けてあるので、広告体の出し入れが、幌生地によって覆われた自動車の荷台内部で行う必要が生じるので、広告体の盗難が困難となり、したがって広告体の盗難を防止することができるという効果を有するのである。
【００１９】
またこの発明に係る幌付き自動車用広告表示装置（請求項２）によれば、幌生地の一部に貫通孔を形成し、幌の内側に前記貫通孔を閉塞するように広告体を配設してあるので、前記の効果に加え、広告体の幌生地への取り付け又は取り外しがきわめて容易になるという効果を有するのである。
【図面の簡単な説明】
【図１】この発明に係る幌付き自動車用広告表示装置の一実施例を示す展開図である。
【図２】図１の背面図である。
【図３】図１のＡ−Ａ線断面図である。
【図４】この発明に係る幌付き自動車用広告表示装置の他例を示す断面図である。
【符号の説明】
１　幌生地
２　透明合成樹脂製シート
３　広告体
４　出し入れ口
５　長孔
６　貫通孔
【図１】
2004098784.tif 000003
【図２】
2004098784.tif 000004
【図３】
2004098784.tif 000005
【図４】
2004098784.tif 000006